(57)【要約】【課題】プレイリストにより音声再生する場合において、シーケンスコマンド情報とストリームコマンド情報が混在する場合であっても、１つのプレイリストにより音声再生を行う音声再生装置テストシステムを提供すること。【解決手段】音声再生装置テストシステム１は、入力情報３０が、シーケンスコマンド情報２２とストリームコマンド情報２４とのいずれかを判定するコマンド判定部１０と、コマンド判定部１０が、入力情報３０がシーケンスコマンド情報２２と判定したときは、シーケンスコマンド情報２２に対応するシーケンス情報をシーケンスコマンド送信用プロトコルに従って送信し、ストリームコマンド情報に対応する音声情報をストリームコマンド送信用プロトコルに従って送信するコマンド通信制御部６０とを含む。【選択図】図１
2010197941.tif 000002
【特許請求の範囲】
【請求項１】
音声再生装置の入力となる音声再生コマンドを入力情報に基づいて出力する音声再生装置テストシステムにおいて、
前記入力情報が、音声メッセージを構成する音声情報の再生順序を示すシーケンス情報を特定するシーケンスコマンド情報と再生する音声情報を特定するストリームコマンド情報とのいずれであるかを判定するコマンド判定部と、
前記コマンド判定部が、前記入力情報が前記シーケンスコマンド情報と判定したときは、前記シーケンスコマンド情報に対応するシーケンス情報をシーケンスコマンド送信用プロトコルに従って送信し、前記ストリームコマンド情報と判定したときは、前記ストリームコマンド情報に対応する音声情報をストリームコマンド送信用プロトコルに従って送信するコマンド通信制御部と、
を含むことを特徴とする音声再生装置テストシステム。
【請求項２】
請求項１において、
前記入力情報は、
音声再生コマンドの出力タイミング制御情報を含み、
前記コマンド通信制御部は、
前記出力タイミング制御情報に基づいて音声再生コマンドを出力するタイミングを制御することを特徴とする音声再生装置テストシステム。
【請求項３】
請求項２において、
前記出力タイミング制御情報は、
前記シーケンスコマンド情報に関連して指定され、
前記コマンド通信制御部は、
前記シーケンスコマンド情報の送信の前後のいずれかに、前記出力タイミング制御情報によって指定されたディレイ時間を付加して前記シーケンス情報を出力することを特徴とする音声再生装置テストシステム。
【請求項４】
請求項２又は３において、
前記出力タイミング制御情報は、
前記ストリームコマンド情報に関連して指定され、
前記コマンド通信制御部は、
前記ストリームコマンド情報の送信の前後のいずれかに、前記出力タイミング制御情報によって指定されたディレイ時間を付加して前記音声情報を出力することを特徴とする音声再生装置テストシステム。
【請求項５】
請求項１乃至４のいずれかにおいて、
前記入力情報は、
前記シーケンス情報が記述されたシーケンス情報ファイルと、
前記音声情報が記述された音声情報ファイルと、
前記シーケンス情報ファイルのファイル名と前記音声情報ファイルのファイル名とが音声再生順序に従って指定されたプレイリストと、
を含み、
前記コマンド通信制御部は、
前記コマンド判定部が、前記プレイリストに含まれるファイル名を前記シーケンス情報ファイルと判定したときは、当該シーケンス情報ファイルのシーケンス情報をシーケンスコマンド送信用プロトコルに従って送信し、前記プレイリストに含まれるファイル名を前記音声情報ファイルと判定したときは、当該音声情報ファイルの音声情報をストリームコマンド送信用プロトコルに従って送信することを特徴とする音声再生装置テストシステム。
【請求項６】
請求項１乃至５のいずれかに記載の音声再生装置テストシステムとして機能することを特徴とする集積回路装置。
【請求項７】
請求項１乃至５のいずれかに記載の音声再生装置テストシステムと、
前記音声再生コマンドに基づいて音声再生を行う音声再生装置と、
を含む音声再生評価システム。
【請求項８】
入力情報に基づいて音声再生装置テストシステムが出力した音声再生コマンドに基づいて音声再生を行う音声再生装置をテストするテスト方法であって、
前記入力情報が、音声メッセージを構成する音声情報の再生順序を示すシーケンス情報を特定するシーケンスコマンド情報と再生する音声情報を特定するストリームコマンド情報とのいずれであるかを判定するステップと、
前記コマンド判定部が、前記入力情報が前記シーケンスコマンド情報と判定したときは、前記シーケンスコマンド情報に対応するシーケンス情報をシーケンスコマンド送信用プロトコルに従って送信し、前記ストリームコマンド情報と判定したときは、前記ストリームコマンド情報に対応する音声情報をストリームコマンド送信用プロトコルに従って送信するステップと、
を含むことを特徴とする音声再生装置のテスト方法。
【発明の詳細な説明】
【技術分野】
【０００１】
本発明の幾つかの態様は、音声再生装置テスト、集積回路装置、音声再生評価システム、音声再生装置のテスト方法システム等に関する。
【背景技術】
【０００２】
音声再生装置を搭載し、音声メッセージを出力する音声再生システムが搭載された電子機器が知られている。
【０００３】
このような音声再生システムでは、音声ファイルの再生が行われる際に、音声ファイルの再生順序が記述され、記録媒体に記録されているプレイリストと呼ばれるファイルを読み込み、そのプレイリストに記述されているファイル名の順序に従って音声ファイルを再生するようになっているものがある。
【０００４】
また、このような音声再生システムにおいては、プレイリストによりストリーム再生する方法が知られている。また、映像情報や音声情報などの一連のコンテンツ情報をなすオブジェクトデータを格納するファイルと、その再生シーケンスを格納したプレイリストを用いて再生する方法が知られている。
【先行技術文献】
【特許文献】
【０００５】
【特許文献１】特開２００５−２８５３０９号公報
【発明の概要】
【発明が解決しようとする課題】
【０００６】
シーケンス再生とストリーム再生を行う音声再生システムにおいては、シーケンス再生、ストリーム再生に応じた各々のプレイリストが必要となり、１つのプレイリストでストリーム再生とシーケンス再生を混在させて再生することはできなかった。そのため、両者を組み合わせて音声評価を行うのは難しかった。
【０００７】
本発明は、以上のような問題点に鑑みてなされたものである。本発明のいくつかの態様によれば、音声を再生する音声再生装置テストシステムにおいて１つのプレイリストで音声再生を行える音声再生装置テストシステムを提供できる。
【課題を解決するための手段】
【０００８】
（１）本発明は、音声再生装置の入力となる音声再生コマンドを入力情報に基づいて出力する音声再生装置テストシステムにおいて、前記入力情報が、音声メッセージを構成する音声情報の再生順序を示すシーケンス情報を特定するシーケンスコマンド情報と再生する音声情報を特定するストリームコマンド情報とのいずれであるかを判定するコマンド判定部と、前記コマンド判定部が、前記入力情報が前記シーケンスコマンド情報と判定したときは、前記シーケンスコマンド情報に対応するシーケンス情報をシーケンスコマンド送信用プロトコルに従って送信し、前記ストリームコマンド情報と判定したときは、前記ストリームコマンド情報に対応する音声情報をストリームコマンド送信用プロトコルに従って送信するコマンド通信制御部と、を含むことを特徴とする音声再生装置テストシステムに関係する。
【０００９】
入力情報は、プレイリストからの情報であってもよい。プレイリストとは、音声再生システムにおいて、音楽や動画の再生順番を制御するのに用いられ、音楽や動画の再生順を記録したリストである。例えば、シーケンス再生を行う場合は、再生対象の音声メッセージを特定するシーケンス情報をリスト化し、ストリーム再生を行う場合は、再生対象の音楽や動画のファイル名等を再生順にリスト化してもよい。
【００１０】
コマンド判定部は、前記入力情報が、音声メッセージを構成する音声情報の再生順序を示すシーケンス情報を特定するシーケンスコマンド情報と再生する音声情報を特定するストリームコマンド情報とのいずれであるかを判定する。
【００１１】
コマンド判定部は、シーケンスコマンド情報とストリームコマンド情報のファイル形式で判定してもよい。
【００１２】
コマンド通信制御部は、前記コマンド判定部が、前記シーケンスコマンド情報に対応するシーケンス情報をシーケンスコマンド送信用プロトコルに従って送信し、前記ストリームコマンド情報と判定したときは、前記ストリームコマンド情報に対応する音声情報をストリームコマンド送信用プロトコルに従って送信する。
【００１３】
コマンド通信制御部は、シーケンスコマンド情報とストリームコマンド情報とで異なる通信制御を行う。
【００１４】
従って、本発明によれば、音声再生装置テストシステムは、シーケンスコマンド情報とストリームコマンド情報が混在するプレイリストを用いて音声再生を行うことができる。
【００１５】
（２）また、この音声再生装置テストシステムでは、前記入力情報は、音声再生コマンドの出力タイミング制御情報を含み、前記コマンド通信制御部は、前記出力タイミング制御情報に基づいて音声再生コマンドを出力するタイミングを制御してもよい。
【００１６】
（３）また、この音声再生装置テストシステムでは、前記出力タイミング制御情報は、前記シーケンスコマンド情報に関連して指定され、前記コマンド通信制御部は、前記シーケンスコマンド情報の送信の前後のいずれかに、前記出力タイミング制御情報によって指定されたディレイ時間を付加して前記シーケンス情報を出力してもよい。
【００１７】
（４）また、この音声再生装置テストシステムでは、前記出力タイミング制御情報は、前記ストリームコマンド情報に関連して指定され、前記コマンド通信制御部は、前記ストリームコマンド情報の送信の前後のいずれかに、前記出力タイミング制御情報によって指定されたディレイ時間を付加して前記音声情報を出力してもよい。
【００１８】
（５）また、この音声再生装置テストシステムでは、前記入力情報は、前記シーケンス情報が記述されたシーケンス情報ファイルと、前記音声情報が記述された音声情報ファイルと、前記シーケンス情報ファイルのファイル名と前記音声情報ファイルのファイル名とが音声再生順序に従って指定されたプレイリストと、を含み、前記コマンド通信制御部は、前記コマンド判定部が、前記プレイリストに含まれるファイル名を前記シーケンス情報ファイルと判定したときは、当該シーケンス情報ファイルのシーケンス情報をシーケンスコマンド送信用プロトコルに従って送信し、前記プレイリストに含まれるファイル名を前記音声情報ファイルと判定したときは、当該音声情報ファイルの音声情報をストリームコマンド送信用プロトコルに従って送信してもよい。
【００１９】
（６）また、上記のいずれかに記載の音声再生装置テストシステムとして機能することを特徴とする集積回路装置である。
【００２０】
（７）上記のいずれかに記載の音声再生装置テストシステムと、前記音声再生コマンドに基づいて音声再生を行う音声再生装置と、を含む音声再生評価システムである。
【００２１】
（８）本発明は、入力情報に基づいて音声再生装置テストシステムが出力した音声再生コマンドに基づいて音声再生を行う音声再生装置をテストするテスト方法であって、前記入力情報が、音声メッセージを構成する音声情報の再生順序を示すシーケンス情報を特定するシーケンスコマンド情報と再生する音声情報を特定するストリームコマンド情報とのいずれであるかを判定するステップと、前記コマンド判定部が、前記入力情報が前記シーケンスコマンド情報と判定したときは、前記シーケンスコマンド情報に対応するシーケンス情報をシーケンスコマンド送信用プロトコルに従って送信し、前記ストリームコマンド情報と判定したときは、前記ストリームコマンド情報に対応する音声情報をストリームコマンド送信用プロトコルに従って送信するステップと、を含むことを特徴とする音声再生装置のテスト方法である。
【図面の簡単な説明】
【００２２】
【図１】音声再生装置テストシステムの実施形態の構成例。
【図２】音声再生装置テストシステムのシステム構成例。
【図３】本実施形態の記憶部に記憶された情報の構成例。
【図４】図４（Ａ）プレイリストの例。図４（Ｂ）シーケンス情報の例。
【図５】音声再生デモのフローチャート。
【図６】シーケンス再生処理のフローチャート。
【図７】プレイリストの修正例。
【発明を実施するための形態】
【００２３】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００２４】
１．音声再生装置の実施形態
図１に本実施形態の構成例を示す。音声再生装置テストシステム１は、入力情報３０が、音声メッセージを構成する音声情報の再生順序を示すシーケンス情報を特定するシーケンスコマンド情報２２と再生する音声情報を特定するストリームコマンド情報２４とのいずれであるかを判定するコマンド判定部１０と、コマンド判定部１０が、入力情報３０がシーケンスコマンド情報２２と判定したときは、前記シーケンスコマンド情報に対応するシーケンス情報をシーケンスコマンド送信用プロトコルに従って送信し、ストリームコマンド情報２４と判定したときは、前記ストリームコマンド情報に対応する音声情報をストリームコマンド送信用プロトコルに従って送信するコマンド通信制御部６０とを含む。
【００２５】
入力情報は３０、プレイリスト２０から与えられる。プレイリスト２０は、シーケンスコマンド情報２２、ストリームコマンド情報２４、出力タイミング制御情報２６を含んでもよい。
【００２６】
音声情報はフレーズ単位で圧縮され、フレーズ単位の音声ファイルとして保持されてもよい。例えばＡＤＰＣＭ形式やＡＡＣ−ＬＣ形式の音声データファイルでもよい。
【００２７】
シーケンス情報は、シーケンス再生の際に必要となる設定情報が保持されているファイルであってもよい。
【００２８】
ストリームコマンド情報は、再生対象となる音声情報をファイル名で指定してもよい。
【００２９】
シーケンスコマンド情報は、再生対象となる音声情報をファイル名で指定してもよい。
【００３０】
図２は、本実施形態の音声再生装置テストシステム１のシステム構成例である。
【００３１】
本実施形態の音声再生評価システム２００では、評価ボード５００を含んで構成してもよい。評価ボード５００は、音声再生ＩＣ（音声再生装置）８０を搭載した音声再生ＩＣ搭載ボード４００と、音声再生ＩＣテストＩＣ１１０を搭載した音声再生ＩＣテストＩＣ装置搭載ボード３００とをホストＩ／Ｆコネクタ等を介して接続して構成してもよい。
【００３２】
評価ボード５００には、音声再生ＩＣ８０の評価に必要なクロック、電源、アンプ９０、ホストＣＰＵインタフェースが備わっている。
【００３３】
また評価ボード５００は、ＳＤカード（又はマイクロＳＤカード）スロット１３０を備える。記憶部７０には、プレイリスト２０、シーケンス情報４０、音声情報５０が記憶されている。記憶部７０は、ＳＤカードやマイクロＳＤカードであってもよい。
【００３４】
本実施形態の音声再生評価システム２００では、再生／停止ボタン１１、スキップボタン１２、ボリュームアップボタン１３、ボリュームダウンボタン１４、リセットボタン１５、スピーカー１００を含んでもよい。
【００３５】
再生／停止ボタン１１は、音声メッセージの再生／停止を操作するボタンである。再生／停止ボタン１１を押す毎に、再生と停止が交互に機能する。
【００３６】
スキップボタン１２は、音声メッセージの早送りを操作するボタンである。
【００３７】
ボリュームアップボタン１３は、音声再生時のボリュームアップを操作するボタンである。
【００３８】
ボリュームダウンボタン１４は、音声再生時のボリュームダウンを操作するボタンである。
【００３９】
リセットボタン１５は、音声再生ＩＣテストＩＣ１１０のリセットを制御するボタンである。
【００４０】
本実施形態では、プレイリスト２０は、音声コマンドの出力タイミング制御情報２６を含み、コマンド通信制御部６０は、出力タイミング制御情報２６に基づいて音声再生コマンドを出力するタイミングを制御してもよい。
【００４１】
出力タイミング制御情報２６は、シーケンスコマンド情報２２に関連して指定され、コマンド通信制御部６０は、シーケンスコマンド情報２２の送信の前後のいずれかに、出力タイミング制御情報２６によって指定されたディレイ時間を付加してシーケンス情報を出力するようにしてもよい。
【００４２】
出力タイミング制御情報２６は、ストリームコマンド情報２４に関連して指定され、コマンド通信制御部６０は、ストリームコマンド情報２４の送信の前後のいずれかに、出力タイミング制御情報２６によって指定されたディレイ時間を付加して音声情報５０を出力するようにしてもよい。
【００４３】
図３は、プレイリストと、プレイリストにより特定される音声情報とシーケンス情報の一例である。プレイリストに、ストリームコマンド情報００１〜００４、シーケンスコマンド情報００１、００２がリスト化されている場合について説明する。
【００４４】
ストリームコマンド情報００１は、音声情報００１を特定する情報である。ストリームコマンド情報００２は、音声情報００２を特定する情報である。ストリームコマンド情報００３は、音声情報００３を特定する情報である。ストリームコマンド情報００４は、音声情報００４を特定する情報である。例えば、音声情報のファイル名でもよい。
【００４５】
シーケンスコマンド情報００１は、シーケンス情報００１を特定する情報である。シーケンスコマンド情報００２は、シーケンス情報００２を特定する情報である。例えば、シーケンスコマンド情報は、再生対象となる音声情報をファイル名で指定してもよい。
【００４６】
音声情報は、音声メッセージを構成するフレーズの音声データである。シーケンス情報は、音声情報の再生順序に関する情報であり、音声情報（ｆ１、ｆ２、ｆ３、ｆ４）に対応付けられた音声情報特定情報（ｆ’１、ｆ’２、ｆ’３、ｆ’４）の再生順序に従って並べたものでもよい。例えば、プレイリストに、音声メッセージとして「室内温度は２０度です。」と「室内温度は２１度です。」の２種類を再生するためのストリームコマンド情報とシーケンスコマンド情報がリスト化され、上記２種類を再生するための音声情報とシーケンス情報が記憶部７０に記憶されている場合について説明する。
【００４７】
ｆ１は、「室内温度は」の音声情報である。ｆ２は、「２０度」の音声情報である。ｆ３は、「２１度」の音声データである。ｆ４は、「です」の音声情報である。
【００４８】
シーケンス情報００１は、音声メッセージ「室内温度は２０度です。」を構成する音声データ（ｆ１、ｆ２、ｆ４）に対応付けられた音声情報特定情報（ｆ’１、ｆ’２、ｆ’４）を、再生順序に従って並べて構成することができる。シーケンス情報００２は、音声メッセージ「室内温度は２１度です。」を構成する音声データ（ｆ１、ｆ３、ｆ４）に対応付けられた音声データ特定情報（ｆ’１、ｆ’３、ｆ’４）を、再生順序に従って並べて構成することができる。
【００４９】
シーケンス情報００１が音声再生ＩＣ８０に入力されると、ｆ’１に対応する音声情報「室内温度は」（ｆ１）、ｆ’２に対応する音声情報「２０度」（ｆ２）、ｆ’４に対応する音声データ「です」（ｆ４）を順に再生することにより音声メッセージ「室内温度は２０度です。」が再生される。
【００５０】
また、シーケンス情報００２によれば、ｆ’１に対応する音声情報「室内温度は」（ｆ１）、ｆ’３に対応する音声情報「２１度」（ｆ３）、ｆ’４に対応する音声データ「です」（ｆ４）を順に再生することにより音声メッセージ「室内温度は２１度です。」が再生される。
【００５１】
また、本実施形態の音声再生評価システム２００では、プレイリスト２０に所与の音声情報５０の再生後、次の音声再生コマンド出力までの出力タイミング制御情報２６を含み、コマンド通信制御部６０は、出力タイミング制御情報２６によって指定されたディレイ時間を付加して音声再生コマンドを出力するようにしてもよい。
【００５２】
出力タイミング制御情報によって指定されるディレイ値は、各音声再生コマンド出力前に設定しても、各音声再生コマンド出力後に設定してもよい。
【００５３】
本実施形態の音声再生評価システム２００によれば、シーケンス再生とストリーム再生との間に出力タイミング制御情報に基づくディレイ値を設定することができる。
【００５４】
より具体的に、図４（Ａ）（Ｂ）にプレイリスト２０の例を示す。
【００５５】
図４（Ａ）の００１．ｅｏｖは、音声情報「室内温度は」に対応する音声データのファイル名である。００２．ｅｏｖは、音声情報「２０度」に対応する音声データのファイル名である。００３．ｅｏｖは、音声情報「２１度」に対応する音声データのファイル名である。００４．ｅｏｖは、音声情報「です」に対応する音声データのファイル名である。
【００５６】
Ｓ＿０００１．ｓｅｑ、Ｓ＿０００２．ｓｅｑ、Ｓ＿０００３．ｓｅｑはシーケンスコマンド情報である。
【００５７】
「＄２．０」と「＄１．０」は、出力タイミング制御情報によって指定されたディレイ値である。シーケンスコマンド情報Ｓ＿０００１．ｓｅｑによる音声再生コマンド出力（シーケンス情報０００１）後、２．０秒遅延させてＳ＿シーケンスコマンド情報０００２．ｓｅｑによる音声再生コマンドが出力（シーケンス情報０００２）され、その後１．０秒遅延させてＳ＿シーケンスコマンド情報０００３．ｓｅｑによる音声再生コマンドが出力（シーケンス情報０００３）されるようにしてもよい。
【００５８】
図４（Ｂ）は、シーケンス情報の一例である。例えば、再生する音声情報をファイル番号で指定してもよい。
【００５９】
図５は、本実施形態の音声再生装置テストシステム１によって音声再生デモを行う場合における音声再生の一例を示すフローチャートである。
【００６０】
音声再生装置テストシステム１は、音声再生デモが開始されると、プレイリストからファイルを１つ取得し（ステップＳ１００）、取得したファイルの種類を判定する（ステップＳ１０２）。ファイルの種類は、例えば、ファイル形式で判定してもよい。判定結果が、ストリームコマンド情報であった場合には、ストリーム再生コンフィグレーション情報を送信する（ステップＳ１０４）。また、判定結果がシーケンスコマンド情報であった場合には、シーケンス再生コンフィグレーション情報を送信する（ステップＳ１０６）。
【００６１】
ストリーム再生コンフィグレーション情報とは、ストリーム再生の際に必要となる設定情報である。シーケンス再生コンフィグレーション情報とは、シーケンス再生の際に必要となる設定情報である。
【００６２】
次に、再生／停止ボタン１１が押されたかを判定する（ステップＳ１０８）。再生／停止ボタン１１が押された場合には、音声再生中であるかを判定する（ステップＳ１１０）。音声再生中である場合には、ストリーム再生であるかを判定する（ステップＳ１１２）。ストリーム再生である場合には、ストリーム再生停止情報を送信する（ステップＳ１１４）。ストリーム再生でない場合、すなわちシーケンス再生である場合には、シーケンス再生停止情報を送信する（ステップＳ１１６）。
【００６３】
また、再生／停止ボタン１１が押されていない場合（ステップＳ１０８）は、音声再生中であるかを判定する（ステップＳ１０９）。音声再生中でない場合（ステップＳ１０９）には、再生／停止ボタン１１が押されたかを判定する処理に戻る。音声再生中の場合（ステップＳ１０９）と、再生／停止ボタン１１が押されたが（ステップＳ１０８）音声再生中ではない場合（ステップＳ１１０）には、これから行う音声再生がストリーム再生であるか判定する（ステップＳ１１８）。
【００６４】
ストリーム再生である場合には、ストリーム再生を行う（ステップＳ１２０）。ストリーム再生でない場合には、シーケンス再生処理を行う（ステップＳ１２２）。
【００６５】
次に、ファイルが最後まで再生したかを判定し（ステップＳ１２４）、最後まで再生されていない場合は、再生中となる。最後まで再生された場合、ストリーム再生停止情報を送信し（ステップＳ１１４）ストリーム再生が停止した場合、シーケンス再生停止情報を送信（ステップＳ１１６）シーケンス再生が停止した場合は、プレイリストのディレイ値でウェイトされる（ステップＳ１２６）。
【００６６】
次に、プレイリストの全ファイルが再生されたかを判定し（ステップＳ１２８）、全ファイルが再生された場合は、音声再生デモを終了する。全ファイルが再生されていない場合には、上記フローを繰り返す。
【００６７】
図６は、図５のシーケンス再生処理（ステップＳ１２２）の詳細なフローチャートである。シーケンス再生処理は、シーケンス再生の際のデコード関連のメッセージ送信を行う関数に基づいて行うようにしてもよい。
【００６８】
シーケンス再生処理は、ファイル再生が初回であるかを判定し（ステップＳ１３０）、初回の場合はシーケンス再生開始情報を送信し（ステップＳ１３４）、ファイル再生が初回でない場合には、ファイル再生終了情報を受信したかを判定する（ステップＳ１３２）。
【００６９】
ファイル再生終了情報を受信した場合は、ファイル再生終了受信フラグがＯＮになる（ステップＳ１３６）。
【００７０】
ファイル再生終了受信フラグがＯＮである場合には（ステップＳ１３８）、シーケンス再生停止情報が送信され（ステップＳ１４０）、シーケンス再生処理が終了する。つまり、１ファイルの再生が終了する。ファイル再生終了受信フラグがＯＮでない場合には（ステップＳ１３８）、シーケンス再生処理が終了する。
【００７１】
図７（Ａ）（Ｂ）は、プレイリストの修正例である。
【００７２】
図７（Ａ）は、音声メッセージ「室内温度は２０度です。」と「室内温度は２１度です。」と「室内温度は２２度です。」がＲＯＭデータに記憶され、それぞれのメッセージに対応するシーケンス情報として、Ｓ＿０００１．ｓｅｑ、Ｓ＿０００２．ｓｅｑ、Ｓ＿０００３．ｓｅｑ、がプレイリストに記載されている場合の例である。
【００７３】
図７（Ｂ）は、図７（Ａ）のプレイリストがあった場合に、例えば、「室内温度は２０．５度です。」と「室内温度は２１．５度です。」の音声情報を追加する必要が生じた場合の、修正後のプレイリストの例である。
【００７４】
「２０．５度」の音声情報ＰＳ＿０００１．ｅｏｖと、「２１．５度」の音声情報ＰＳ＿０００２．ｅｏｖを記憶部７０に新たに追加して、「室内温度は」と「です」の音声情報についてはＲＯＭデータ内蔵の音声情報を使用し、シーケンス情報の変更を行うことで再生可能となる。
【００７５】
なお、本発明は本実施の形態に限定されず、本発明の要旨の範囲内で種々の変形実施が可能である。
【００７６】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【００７７】
１  音声再生装置テストシステム、１０  コマンド判定部、
１１  再生／停止ボタン、１２  スキップボタン、１３  ボリュームアップボタン、
１４  ボリュームダウンボタン、１５  リセットボタン、２０  プレイリスト、
２２  シーケンスコマンド情報、２４  ストリームコマンド情報、
２６  出力タイミング制御情報、３０  入力情報、４０  シーケンス情報、
５０  音声情報、
６０  コマンド通信制御部、７０  記憶部、８０  音声再生ＩＣ、
９０  アンプ、１００  スピーカー、１３０  マイクロＳＤカードスロット、
２００  音声再生評価システム、３００  音声再生装置テストＩＣ搭載ボード、
４００  音声再生ＩＣ搭載ボード、５００  評価ボード
【図１】
2010197941.tif 000003
【図２】
2010197941.tif 000004
【図３】
2010197941.tif 000005
【図４】
2010197941.tif 000006
【図５】
2010197941.tif 000007
【図６】
2010197941.tif 000008
【図７】
2010197941.tif 000009